(57)【要約】【課題】径方向の形状を一段と小さくし得るレンズ駆動装置及び該レンズ駆動装置を用いたカメラ装置を提供すること。【解決手段】レンズを保持するレンズホルダ１１と、同極同士をレンズの光軸方向ａに向けて対向させた第１及び第２の磁石３１、３２と、レンズの光軸周りに巻回され、第１及び第２の磁石３１、３２の対向空間を横切るように配置されたコイル２３と、第１及び第２の磁石３１、３２とコイル２３とを光軸方向ａから挟み込むと共に、レンズの光軸周りの外方から覆うヨーク体４１、４２とを具備することを特徴とする。【選択図】図１
2009198948.tif 000002
【特許請求の範囲】
【請求項１】
レンズを保持するレンズホルダと、
同極同士を前記レンズの光軸方向に向けて対向させた第１及び第２の磁石と、
前記レンズの光軸周りに巻回され、前記第１及び第２の磁石の対向空間を横切るように配置されたコイルと、
前記第１及び第２の磁石と前記コイルとを前記光軸方向から挟み込むと共に、前記レンズの光軸周りの外方から覆うヨーク体と
を具備することを特徴とするレンズ駆動装置。
【請求項２】
前記コイルは、前記レンズホルダに直接巻き付けられていることを特徴とする請求項１に記載のレンズ駆動装置。
【請求項３】
前記ヨーク体は、前記レンズホルダの前記レンズの光軸周りの外形に沿って開口する開口部を中心部に有すると共に前記光軸周りの外形が四角形形状であり、
前記第１及び第２の磁石は、前記ヨーク体の前記四角形形状に沿う四角形形状の外形を有し、前記ヨーク体に収納されることを特徴とする請求項１に記載のレンズ駆動装置。
【請求項４】
前記第１及び第２の磁石は、前記ヨーク体の四角形形状の隅部に配置されることを特徴とする請求項３に記載のレンズ駆動装置。
【請求項５】
レンズを保持するレンズホルダと、
同極同士を前記レンズの光軸方向に向けて対向させた第１及び第２の磁石と、
前記レンズの光軸周りに巻回され、前記第１及び第２の磁石の対向空間を横切るように配置されたコイルと
を具備し、前記コイルは、前記第１及び第２の磁石の対向空間の中心から前記レンズの光軸から遠ざかる方向又は近づく方向にずれて配置されることを特徴とするレンズ駆動装置。
【請求項６】
前記コイルは、前記レンズホルダに直接巻き付けられていることを特徴とする請求項１に記載のレンズ駆動装置。
【請求項７】
レンズを保持するレンズホルダと、
同極同士を前記レンズの光軸方向に向けて対向させた第１及び第２の磁石と、
前記レンズの光軸周りに巻回され、前記第１及び第２の磁石の対向空間を横切るように配置されたコイルと、
前記第１及び第２の磁石と前記コイルとを前記光軸方向から挟み込むと共に、前記レンズの光軸周りの外方から覆うヨーク体と、
前記レンズを介して入射した光を受光して光電変換する撮像素子とを具備することを特徴とするカメラ装置。
【発明の詳細な説明】
【技術分野】
【０００１】
本発明は、レンズ駆動装置及びカメラ装置に関し、特にボイスコイルモータ方式の駆動源を有するレンズ駆動装置及び該レンズ駆動装置を有するカメラ装置に関する。
【背景技術】
【０００２】
従来、デジタルカメラや携帯電話機に内蔵されるカメラ等に用いられるズームレンズやオートフォーカスレンズを駆動するためのレンズ駆動装置がある。このレンズ駆動装置として、レンズを保持するレンズ保持部材と固定関係にあるコイルを磁石による磁界内に配置し、この状態でコイルに駆動電流を流すことにより、コイルに作用する力を発生させ、この力によってレンズ保持部材を駆動するようになっている。
【特許文献１】特開２００７−２７１８７８号公報（図１）
【発明の開示】
【発明が解決しようとする課題】
【０００３】
ところで、かかる従来のレンズ駆動装置においては、内部にレンズを保持する筒状のレンズ保持部材の周囲にコイルが巻回され、このコイルを磁石及びヨークによってラジアル方向（レンズの径方向）から挟み込む構成を有しており、この磁石及びヨークによって形成される磁気回路により、コイルに対してラジアル方向に磁束が横切るように構成されている。
【０００４】
しかしながら、磁石及びヨークによってコイルをラジアル方向から挟み込む構成においては、レンズ駆動装置全体としての外形がレンズの径方向（ラジアル方向）に大きくなることを避け得ない問題があった。
【０００５】
本発明はかかる問題点に鑑みてなされたものであり、径方向の形状を一段と小さくし得るレンズ駆動装置及び該レンズ駆動装置を用いたカメラ装置を提供することを目的とする。
【課題を解決するための手段】
【０００６】
本発明のレンズ駆動装置は、レンズを保持するレンズホルダと、同極同士を前記レンズの光軸方向に向けて対向させた第１及び第２の磁石と、前記レンズの光軸周りに巻回され、前記第１及び第２の磁石の対向空間を横切るように配置されたコイルと、前記第１及び第２の磁石と前記コイルとを前記光軸方向から挟み込むと共に、前記レンズの光軸周りの外方から覆うヨーク体とを具備することを特徴とする。
【０００７】
上記レンズ駆動装置によれば、磁石をレンズの光軸方向に対向配置することにより、コイルを磁石及びヨークによってレンズ径方向から挟み込む場合に比べて、径方向の大きさを一段と小型化することができる。
【０００８】
また、上記レンズ駆動装置において、前記コイルは、前記レンズホルダに直接巻き付けられていることが好ましい。この場合には、レンズホルダとコイルとの間にヨーク体がなくなることにより、その分、径方向の大きさを小さくすることができる。また、コイルをレンズホルダに直接巻きつける構成により、コイルを巻き付けるための別体の部品を設ける場合に比べて、部品点数を削減することができる。
【０００９】
また、上記レンズ駆動装置において、前記ヨーク体は、前記レンズホルダの前記レンズの光軸周りの外形に沿って開口する開口部を中心部に有すると共に前記光軸周りの外形が四角形形状であり、前記第１及び第２の磁石は、前記ヨーク体の前記四角形形状に沿う四角形形状の外形を有し、前記ヨーク体に収納されることが好ましい。この場合には、第１及び第２の磁石の外形が四角形形状であることにより、この四角形形状の隅部においては、磁石の面積が大きくなる分、コイルに対して作用する磁力線の数が多くなることにより、レンズホルダに対して十分な駆動力を発生させることができる。
【００１０】
また、上記レンズ駆動装置において、前記第１及び第２の磁石は、前記ヨーク体の四角形形状の隅部に配置されることが好ましい。この場合には、四角形形状の隅部においては磁石の面積が大きくなることにより、十分な駆動力を得ることができる。
【００１１】
本発明のレンズ駆動装置は、レンズを保持するレンズホルダと、同極同士を前記レンズの光軸方向に向けて対向させた第１及び第２の磁石と、前記レンズの光軸周りに巻回され、前記第１及び第２の磁石の対向空間を横切るように配置されたコイルとを具備し、前記コイルは、前記第１及び第２の磁石の対向空間の中心から前記レンズの光軸から遠ざかる方向又は近づく方向にずれて配置されることを特徴とする。
【００１２】
上記レンズ駆動装置によれば、磁石をレンズの光軸方向に対向配置することにより、磁石をレンズの径方向に対向配置する場合に比べて、径方向の大きさを一段と小型化することができる。また、第１及び第２の磁石の対向空間で互いにぶつかり合ってレンズの径方向（外方及び内方）に向きを変えた磁力線が、対向空間の中心からずれた位置に配置されたコイルを前記径方向に横切ることとなり、これにより、レンズホルダに対する十分な駆動力を発生させることができる。かくして、ヨーク体を用いる場合に比べて、径方向の大きさを一段と小型化することができる。
【００１３】
また、上記レンズ駆動装置において、前記コイルは、前記レンズホルダに直接巻き付けられていることが好ましい。この場合には、レンズホルダとコイルとの間にヨーク体がなくなることにより、その分、径方向の大きさを小さくすることができる。また、コイルをレンズホルダに直接巻きつける構成により、コイルを巻き付けるための別体の部品を設ける場合に比べて、部品点数を削減することができる。
【００１４】
本発明のカメラ装置は、レンズを保持するレンズホルダと、同極同士を前記レンズの光軸方向に向けて対向させた第１及び第２の磁石と、前記レンズの光軸周りに巻回され、前記第１及び第２の磁石の対向空間を横切るように配置されたコイルと、前記第１及び第２の磁石と前記コイルとを前記光軸方向から挟み込むと共に、前記レンズの光軸周りの外方から覆うヨーク体と、前記レンズを介して入射した光を受光して光電変換する撮像素子とを具備することを特徴とする。
【００１５】
上記カメラ装置によれば、磁石をレンズの光軸方向に対向配置することにより、磁石をレンズの径方向に対向配置する場合に比べて、レンズ駆動機構部の径方向の大きさを一段と小型化することができる。
【発明の効果】
【００１６】
本発明によれば、径方向の形状を一段と小さくし得るレンズ駆動装置及び該レンズ駆動装置を用いたカメラ装置を提供することができる。
【発明を実施するための最良の形態】
【００１７】
以下、本発明の一実施の形態について添付図面を参照して詳細に説明する。
（第１の実施の形態）
図１は、本発明の第１の実施の形態に係るレンズ駆動装置の斜視図である。
【００１８】
図１において、レンズ駆動装置１０は、レンズ（図示せず）の光軸を図中上下方向（矢印ａ方向）に向けた状態で該レンズを保持するためのレンズホルダ１１と、このレンズホルダを矢印ａで示す光軸方向に駆動するための駆動機構部１２とから主に構成されている。
【００１９】
図２に示すように、レンズホルダ１１は、内部にレンズ（図示せず）を保持するための円筒形状の本体部２１と、その外周部に鍔状に一体形成された平板状のコイルベース２２と、コイルベース２２の外周面を形成する鍔状の端部に沿って導線が巻回されてなるコイル２３とを有する。このように、コイルベース２２はレンズホルダ１１と一体形成されていることにより、コイル２３は、レンズホルダ１１に直接設けられた構成となっている。
【００２０】
コイルベース２２は、本体部２１の円筒形状の外周部を周回するように形成されており、これにより、このコイルベース２２の外周面に巻回されたコイル２３は、本体部２１の周囲に沿って該本体部２１を周回するように導線が巻回された構成を有する。すなわち、コイル２３は、レンズホルダ１１に保持されたレンズの光軸周りを周回するように設けられている。これにより、コイル２３に電流を通電することにより、この電流は本体部２１の周囲を周回する方向に流れるようになされている。
【００２１】
また、図３は、レンズホルダ１１の平面図であり、この図３に示すように、コイルベース２２は、円筒形状の本体部２１の外周面に沿って４か所の鍔状部２２ａ、２２ｂ、２２ｃ及び２２ｄから構成されている。この４つの鍔状部２２ａ〜２２ｄによって、コイルベース２２は、全体として平面略四角形形状に形成されている。これにより、４つの鍔状部２２ａ〜２２ｄにおいては、コイル２３とレンズホルダ２１との間に比較的大きな領域が形成されるようになっている。
【００２２】
図４に示すように、かかる構成のコイル２３に対して、レンズホルダ１１に保持されるレンズの光軸方向（矢印ａ方向）から該コイル２３を間隙を介して挟むように磁石３１、３２を対向配置するように構成されている。すなわち、図４は、レンズ駆動装置１０の分解斜視図であり、この図４に示すように、磁石３１は、レンズホルダ１１の本体部２１の外径よりも大きな径の開口部３３を有し、全体として、レンズホルダ１１の鍔状部２２ａ〜２２ｄを含む外形と略同じ四角形形状の平板状に形成されている。この磁石３１の開口部３３内にレンズホルダ１１の本体部２１を挿入させるようにして、該磁石３１が鍔状部２２ａ〜２２ｄの一方の面に僅かな間隙を隔てて対向するように配置される。また、磁石３２についても、磁石３１と同様にして、レンズホルダ１１の本体部２１の外径よりも大きな径の開口部３４を有し、全体として、レンズホルダ１１の鍔状部２２ａ〜２２ｄを含む外形と略同じ四角形形状の平板状に形成されている。この磁石３２の開口部３４内にレンズホルダ１１の本体部２１を挿入させるようにして、該磁石３２が鍔状部２２ａ〜２２ｄの他方の面に僅かな間隙を隔てて対向するように配置される。
【００２３】
そして、この磁石３１、３２が配置されたレンズホルダ１１に対して、該レンズホルダ１１を磁石３１側から覆うヨーク４１と、磁石３２側から覆うヨーク４２とによって、レンズホルダ１１、磁石３１、３２をヨーク４１、４２の内部に収納するように構成される。ヨーク４１、４２は、磁石３１、３２及びコイル２３を、レンズホルダ１１に保持されたレンズの径方向に外方から覆うようにもなっている。また、ヨーク４１、４２には、レンズホルダ１１の本体部２１の外径よりも大きな径の開口部４３、４４が形成されており、ヨーク４１、４２によって覆われたレンズホルダ１１の本体部２１がこれらの開口部４３、４４から外部に露出するようになっている。ヨーク４１、４２は、磁性材料で形成されており、磁石３１、３２によって発生する磁束についての磁気回路を構成する。
【００２４】
一方のヨーク４１の上面４５には、板ばね部材５１が固定される。この板ばね部材５１は、ヨーク４１の上面４５に固定される固定部５２と、レンズホルダ１１の本体部２１に係合される係合部５３と、固定部５２と係合部５３とを接続する腕部５４とを有する。係合部５３は、腕部５４によってレンズの光軸方向（矢印ａ方向）に可動し得る状態で支持されており、係合部５３に係合されたレンズホルダ１１は、この腕部５４の弾性力に応じた力で支持されるようになっている。
【００２５】
また、他方のヨーク４２の下面には、板ばね部材６１をインサートしてなるロアケース７１が固定される。ロアケース７１には、レンズホルダ１１の本体部２１の外径よりも大きな径の開口部７２が形成されており、この開口部７２内にレンズホルダ１１の本体部２１が挿入される状態で、該ロアケース７１がヨーク４２の下面部４６に固定される。ロアケース７１の開口部７２には、板ばね部材６１がインサート成形により設けられている。板ばね部材６１は、レンズホルダ１１の本体部２１に係合される係合部６３と、開口部７２の内周面に一旦を支持され、他方の端部によって係合部６３を支持する腕部６４とによって形成されている。係合部６３は、腕部６４によってレンズの光軸方向（矢印ａ方向）に可動し得る状態で支持されており、係合部６３に係合されたレンズホルダ１１は、この腕部６４の弾性力に応じた力で支持されるようになっている。
【００２６】
かくして、レンズホルダ１１は、腕部５４、６４の弾性力により一定位置に付勢された状態かつ、該レンズホルダ１１の本体部２１内部に設けられるレンズ（図示せず）の光軸方向（矢印ａ方向）に可動し得る状態で保持される。
【００２７】
ロアケース７１の下面部には、外部接続電極８１、８２をインサート成形した電極支持部９５が固定される。外部接続電極８１、８２とコイル２３との間は、コイル接続端子９６、９７によって電気的に接続される。これにより、外部接続電極８１、８２を介して所定の駆動電流を供給することにより、コイル２３に該駆動電流が通電される。電極支持部９５は円環形状に形成されており、この円環形状の内部を介して、レンズホルダ１１の本体部２１の内部に支持されたレンズ（図示せず）と外部との間に空間が形成される。
【００２８】
また、レンズ駆動装置１０の最上部においては、トップカバー９８が固定される。このトップカバー９８は、ヨーク４１の上面４５との間に板ばね部材５１の固定部５２を挟んでヨーク４１の上面４５に固定される。トップカバー９８には、レンズホルダ１１の本体部２１の外径よりも大きな径の開口部９９が形成されており、この開口部９９を介して、レンズホルダ１１の本体部２１の内部に支持されたレンズ（図示せず）に外光が入射するようになっている。
【００２９】
また、図５に示すように、レンズ駆動装置１０の下面部には、撮像素子（ＣＣＤ：Charge-Coupled Device）１０２が実装された基板１０１が取り付けられて、全体として、カメラ装置１００が構成される。レンズ駆動装置１０のレンズに入射した光は、基板１０１の撮像素子１０２において受光され、光電変換されることにより、撮像信号となって出力される。
【００３０】
また、図４に示すように、レンズ駆動装置１０において、レンズホルダ１１は、板ばね部材５１の腕部５４と、板ばね部材６１の腕部６４によって、レンズの光軸方向（矢印ａ方向）に可動し得る状態に支持されていることにより、このレンズを可動させることで、該レンズのフォーカス調整を行うことができるようになっている。
【００３１】
レンズを光軸方向（矢印ａ方向）に可動させるための駆動力は、コイル２３と、このコイル２３を光軸方向（矢印ａ方向）から挟む磁石３１、３２と、磁性材料で形成され、コイル２３及び磁石３１、３２を覆うヨーク４１、４２によって得られる。
【００３２】
すなわち、図６は、図１のＸ−Ｘ線を断面にとって示す断面図であり、コイル２３をレンズの光軸方向（矢印ａ方向）から挟むよう設けられた磁石３１、３２は、各々の同極がコイル２３を介して対向するように対向配置されている。そして、このコイル２３及び磁石３１、３２を覆うようにヨーク４１、４２が配置される。この場合、磁石３１、３２がコイル２３を図中上下から挟み込む位置に配置されていることにより、ヨーク４１、４２も、この磁石３１、３２を上下から挟み込むように配置されている。さらに、磁石３１、３２及びコイル２３の内側にはレンズホルダ１１の本体部２１が配置されていることにより、ヨーク４１、４２は、該本体部２１とは反対側の外側から磁石３１、３２及びコイル２３を覆うように配置されている。
【００３３】
このような配置構成により、磁石３１、３２、コイル２３及びヨーク４１、４２によって磁気回路が形成される。
【００３４】
ここで、この磁気回路の形成状態について説明する。図７は、レンズホルダ１１及び磁石３１、３２の配置状態を示す斜視図であり、図８は、図７におけるＸ−Ｘ線を断面にとって示す断面図であり、図９は、図７におけるＹ−Ｙ線を断面にとって示す断面図である。
【００３５】
図７に示すように、レンズホルダ１１の本体部２１が円筒形状に形成されているのに対して、コイル２３が形成されるコイルベース２２は、４つの鍔状部２２ａ〜２２ｄによって全体が四角形形状に形成されている。従って、このコイルベース２２に巻回されてなるコイル２３の外形形状と、これを上下から間隙を隔てて挟む磁石３１、３２も同様に四角形形状に形成されている。
【００３６】
このように、レンズホルダ１１の本体部２１が円筒形状に形成されており、これを挿入する開口部が形成された磁石３１、３２が四角形形状に形成されていることにより、磁石３１、３２の面積は、コイルベース２２の鍔状部２２ａ〜２２ｄに対向する部分において大きくなり（図９）、鍔状部２２ａ〜２２ｄに対向しない部分については小さくなっている（図８）。
【００３７】
これにより、図８に示すように、コイル２３に対向する磁石３１、３２の面積が小さな部分においては、コイル２３を横切る磁力線Ｂの数が少なくなり、これに対して、図９に示すように、コイル２３に対向する磁石３１、３２の面積が大きな部分（磁石３１、３２の外形形状である四角形形状の隅部）においては、コイル２３を横切る磁力線Ｂの数が多くなる。これにより、鍔状部２２ａ〜２２ｄが設けられた部分においては、多くの磁力線Ｂがコイル２３を横切ることにより、コイル２３に駆動電流を通電した際には、より大きな力が発生する。
【００３８】
本実施の形態の場合、磁石３１、３２の同極（例えばＮ極同士）が対向するように構成されていることにより、磁石３１、３２からレンズの光軸方向（矢印ａ方向）に進んだ磁力線Ｂは、それぞれぶつかり合い、それらの向きは、レンズ（図示せず）の光軸方向（矢印ａ方向）に対して略直交する方向（レンズの径方向）に変化する。そして、該方向が変化した磁力線Ｂは、コイル２３を径方向に横切った後、ヨーク４１を介して磁石３１のＳ極に至ると共に、ヨーク４１、４２を介して磁石３２のＳ極に至る。
【００３９】
このように、磁石３１、３２が互いに同極（Ｎ極）同士を対向させていることにより、その磁力線Ｂは、コイル２３をレンズの光軸方向（矢印ａ方向）に対して直交する径方向に横切ることになることにより、コイル２３には、レンズの光軸方向（矢印ａ方向）に力が作用することになる。これにより、コイル２３は、磁石３１、３２の間の可動範囲において、レンズの光軸方向に可動し、このコイル２３と固定関係にあるレンズホルダ１１及びこれに支持されたレンズが同様に可動する。
【００４０】
かくして、コイル２３に駆動電流を通電することにより、レンズホルダ１１に支持されたレンズがその光軸方向に可動され、レンズのフォーカス調整やズーミング等を行うことができる。なお、磁石３１、３２は、Ｎ極局同士を対向させる構成に代えて、Ｓ極同士を対向させるようにしてもよい。
【００４１】
因みに、図１０は、板ばね部材５１がヨーク４１の上面に取り付けられた状態を示す図であり、板ばね部材５１の固定部５２は、ヨーク４１の上面に固定されており、この固定部５２と、レンズホルダ１１の本体部２１に係合される係合部５３との間に腕部５４が設けられており、この腕部５４によって係合部５３が支持されている。
【００４２】
ここで、コイル２３に任意の電流を通電することによりコイル２３と磁石３１、３２により推力を発生し、レンズホルダ１１（レンズ）が移動を開始する。一方、板ばね部材５１の腕部５４は、移動量に応じてばね定数に比例した反発力を発生する。レンズホルダ１１（レンズ）の移動は、発生した推力と反発力が釣り合った位置で停止する。このことにより、コイル２３に任意の電量を通電することにより、レンズホルダ１１（レンズ）の位置を任意の位置にとどめておくことが可能となる。
【００４３】
腕部５４のばね定数は、腕部５４の長さによって決まることにより、本実施の形態においては、腕部５４の一部（Ｐ１、Ｐ２又はＰ３）をヨーク４１の上面にレーザ等を用いて固定することで、腕部５４の長さを調整し、ばね定数を調整するようになっている。
【００４４】
このように、腕部５４のばね定数は、コイル２３に通電した際のレンズホルダ１１の移動量に影響を与え、ばね定数が高いとフォーカスに必要なレンズ移動量が得られず、またこれに対して、ばね定数が低いと電流値に対するレンズの移動量が急峻過ぎてフォーカス位置の調整が困難になる。また、レンズの推力を発生させる磁石においても製造上のばらつきがあるため、本実施の形態のように、腕部５４を任意の位置でヨーク４１の上面に固定することで、そのばね定数を調整し、これにより、フォーカス位置の調整を容易にし得ると共に、磁石３１、３２のばらつきもこの腕部５４のばね定数の調整により吸収することができる。
【００４５】
かくして、以上の構成によれば、コイル２３に対して、磁石３１、３２をレンズの光軸方向（矢印ａ方向）に対向配置するようにしたことにより、磁石３１、３２をレンズの径方向に配置した従来の構成に比べて、径方向の大きさを一段と小さくすることができる。特に、磁石はその材質上、十分に薄型化することが困難であり、本実施の形態の構成によれば、コイル２３に対して、磁石３１、３２を径方向に配置しない構成となることにより、磁石３１、３２の厚みがレンズ駆動装置１０の径方向の大きさに影響を与えることがなくなる。また、外形形状を径方向に小さくする代わりに、レンズの径を大きくすることもできる。
【００４６】
また、ヨーク４１、４２を、コイル２３、磁石３１、３２を上下方向（矢印ａ方向）から覆う位置及び、これらを径方向の外側から覆う位置にのみ設けたことにより、これに加えてコイル２３、磁石３１、２３の径方向の内側からも覆う構成に比べて、薄型化することができる。
【００４７】
（第２の実施の形態）
上述の第１の実施の形態においては、ヨーク４１、４２を用いる場合について述べたが、これに限られるものではなく、ヨーク４１、４２を用いない構成としてもよい。この場合、コイル２３の位置を、磁石３１、３２の対向空間の中心から外側又は内側にずらすように配置する。
【００４８】
すなわち、図１１は、第２の実施の形態に係るレンズ駆動装置のレンズホルダ１１、磁石３１、３２及びコイル２３の配置状態を示す断面図である。なお、第２の実施の形態に係るレンズ駆動装置は、第１の実施の形態に係るレンズ駆動装置１０と比べて、ヨーク４１、４２が設けられていない点、及びこれに応じてコイル２３の位置を磁石対向空間の中心から外側（又は内側）にずらした点が異なり、他の構成はレンズ駆動装置１０と同様である。従って、図１１においては、第１の実施の形態のレンズ駆動装置１０と同様の部分には同一符号を付して、重複した説明は省略する。
【００４９】
図１１に示すように、ヨークが設けられていない構成においては、同極同士（例えばＮ極同士）が対向するように配置された磁石３１、３２の磁力線Ｂは、磁石３１、３２からそれぞれ対向する方向に向かった後、磁石３１、３２の対向空間の中心位置からレンズの径方向の外方及び内方に向きを変えることになる。
【００５０】
本実施の形態のコイル２３は、磁石３１、３２の対向空間の中心から外方にずれた位置に配置されている。これにより、コイル２３を通る磁力線Ｂは、光軸方向（矢印ａ方向）及びこれと直交する外方向が主となり、内方向と外方向へ向かう磁力線Ｂが混在して打ち消し合う状態を抑制することができる。
【００５１】
なお、図１１においては、磁石３１、３２の対向空間の中心から外方にずれた位置にコイル２３を配置する場合について述べたが、これに限られるものではなく、図１２に示すように、内方にずれた位置に配置するようにしてもよい。この場合には、コイル２３を通過する磁力線Ｂは、光軸方向（矢印ａ方向）及びこれと直交する内方向が主となり、この場合においても、内方向と外方向へ向かう磁力線Ｂが混在して打ち消し合う状態を抑制することができる。
【００５２】
かくして、以上の構成によれば、コイル２３に対して、磁石３１、３２をレンズの光軸方向（矢印ａ方向）に対向配置するようにしたことにより、磁石を径方向（ラジアル方向）に配置した従来の構成に比べて、径方向の大きさを一段と小さくすることができる。特に、磁石はその材質上、十分に薄型化することが困難であり、本実施の形態の構成によれば、コイル２３に対して、磁石３１、３２を径方向に配置しない構成となることにより、磁石３１、３２の厚みがレンズ駆動装置１０の径方向の大きさに影響を与えることがなくなることになる。
【００５３】
また、コイル２３を磁石３１、３２の対向空間の中心から径方向（外方又は内方）にずらして配置したことにより、第１及び第２の磁石３１、３２から発生する磁力線は、第１及び第２の磁石３１、３２の対向空間で互いにぶつかり合ってレンズの径方向（外方及び内方）に向きを変え、コイルを径方向に横切ることとなる。これにより、レンズホルダに対する十分な駆動力を発生させることができる。かくして、ヨーク４１、４２（図８、図９）を用いる場合に比べて、径方向の大きさを一段と小型化することができる。
【００５４】
（他の実施の形態）
上述の実施の形態においては、磁石３１、３２をレンズホルダ１１の本体部２１の外周全体に亘って設ける場合について述べたが、これに限られるものではなく、例えば、図１３に示すように、磁石３１、３２のうち、レンズホルダ１１の外周部に設けられた鍔状部２２ａ、２２ｂ、２２ｃ及び２２ｄ（図３）に上下から対向する部分（隅部）のみを用いるようにしてもよい。このようにしても、鍔状部２２ａ、２２ｂ、２２ｃ及び２２ｄに対向する磁石領域が十分な面積を持っていることにより、レンズホルダ１１を移動させるために十分な力を発生させることができる。
【図面の簡単な説明】
【００５５】
【図１】本発明の第１の実施の形態に係るレンズ駆動装置の全体斜視図である。
【図２】レンズ駆動装置のレンズホルダ及び該レンズホルダに設けられたコイルを示す斜視図である。
【図３】レンズ駆動装置のレンズホルダ及び該レンズホルダに設けられたコイルを示す平面図である。
【図４】レンズ駆動装置の分解斜視図である。
【図５】レンズ駆動装置を有するカメラ装置を示す側面図である。
【図６】レンズ駆動装置の断面を示す断面図である。
【図７】レンズ駆動装置のレンズホルダ、コイル及び磁石を示す斜視図である。
【図８】レンズホルダの駆動力の発生原理の説明に供する断面図である。
【図９】レンズホルダの駆動力の発生原理の説明に供する断面図である。
【図１０】レンズホルダを支持する板ばね部材を示す斜視図である。
【図１１】第２の実施の形態に係るレンズ駆動装置の駆動力の発生原理の説明に供する断面図である。
【図１２】第２の実施の形態に係るレンズ駆動装置の駆動力の発生原理の説明に供する断面図である。
【図１３】他の実施の形態に係るレンズ駆動装置の磁石の構成を示す斜視図である。
【符号の説明】
【００５６】
１０  レンズ駆動装置
１１  レンズホルダ
１２  駆動機構部
２１  本体部
２２  コイルベース
２２ａ、２２ｂ、２２ｃ、２２ｄ  鍔状部
２３  コイル
３１、３２  磁石
４１、４２  ヨーク
５１、６１  板ばね部材
５２  固定部
５３、６３  係合部
５４、６４  腕部
７１  ロアケース
８１、８２  外部接続電極
９６、９７  コイル接続端子
９８  トップカバー
９９  開口部
【図１】
2009198948.tif 000003
【図２】
2009198948.tif 000004
【図３】
2009198948.tif 000005
【図４】
2009198948.tif 000006
【図５】
2009198948.tif 000007
【図６】
2009198948.tif 000008
【図７】
2009198948.tif 000009
【図８】
2009198948.tif 000010
【図９】
2009198948.tif 000011
【図１０】
2009198948.tif 000012
【図１１】
2009198948.tif 000013
【図１２】
2009198948.tif 000014
【図１３】
2009198948.tif 000015